(57)【要約】      （修正有）【課題】索具および杭を利用して、被固定物を地面に固定するときの作業性を高めることができる杭を提供する。【解決手段】ペグ（杭）１０は、テントＴの設営用のもので、先部が尖った断面矩形状のペグ本体１１と、ペグ本体１１の頭部１１ｂの一側面から突出したフック部１２を備えている。ペグ本体１１を断面が矩形状のものとしたことで、テントＴの設営時、ペグ本体１１に引っ掛けたロープ１３が滑りにくくなる。そのため、テントＴから延びたロープ１３が頭部１１ｂに引っ掛けられたペグ本体１１を、ハンマなどで地面に打設するとき、フック部１２をペグ本体１１の外周面のうち、ロープ１３とは反対側に配し易くなる。その結果、ロープ１３およびペグ１０を利用して、テントＴを設営するときの作業性を高めることができる。【選択図】図２
0003230509.tif 000002
【実用新案登録請求の範囲】
【請求項１】
先部が尖った断面四角形の金属製の杭本体と、該杭本体の頭部の一側面から突出した金属製のフック部とを備え、
上記フック部を介して、被固定物から延出された索具を、上記杭本体の頭部に引っ掛けて地面に固定するための杭。
【請求項２】
上記フック部は、動物、人形、乗物、玩具、菓子、果物、植物および漫画の登場人物を含むキャラクタの形態を呈したものである請求項１に記載の杭。
【請求項３】
上記フック部を含む上記杭本体の頭部には、その露出面に、発光材が設けられた請求項１または請求項２に記載の杭。
【考案の詳細な説明】
【技術分野】
【０００１】
この考案は杭、例えばテント用ペグでその頭部をハンマで殴打して地中に打ち込む金属製の杭に関する。
【背景技術】
【０００２】
従来、テント設営時に、テントを張るロープを地面に固定するための金属製の杭として、例えば、非特許文献１に記載された鍛造ペグや鋳造ペグが知られている。
鍛造ペグは、金属をハンマなどで叩いて圧力を加えることにより、金属内部の空隙をつぶし、結晶を微細化し、結晶の方向を整えて強度を高めて成形された金属杭である。
一方、鋳造ペグは、加熱して溶けた金属を鋳型に流し込んで製造される、鍛造ペグより軟らかいものである。
【０００３】
これらのペグは、先部が尖った丸棒状のペグ本体（杭本体）と、ペグ本体の頭部の一側から逆Ｌ字状に突出したフック部とを有している。
各ペグの使用時には、テントに基端が連結されたロープに対して略直角で、かつ地面を基準としたペグ本体の傾斜角度が約６０°となるように、ペグ本体をテントの周囲の地面にハンマで打ち込む。こうして、テントが設営される。
【０００４】
このとき、フック部は、ペグ本体の外周面のロープとは反対側に配されるとともに、ロープの先端部は、フック部により上抜けが阻止された状態で、ペグ本体の頭部に引っ掛けられる。
ここで、フック部をペグ本体のロープとは反対側に配する理由を説明すれば、仮にフック部を、これとは異なる側に配したとした場合には、ロープにかかるテンションの一部が、ペグ本体の外周面から離間したフック部に作用することになる。その結果、地面に打設されたペグ本体は、このテンションの一部をフック部が受けて発生したモーメントにより、その軸線を中心にして周方向へ回転し、地面から抜き取り易くなる。よって、この現象を防ぐため、フック部はペグ本体のロープとは反対側に配する必要がある。
【先行技術文献】
【特許文献】
【０００５】
【非特許文献１】鍛造ペグとは？選び方やおすすめ比較6選「キャンプ初心者〜上級者まで」、［令和２年１１月１３日検索］、インターネット＜ＵＲＬ  ｈｔｔｐｓ：／／ｃａｍｐｉｆｙ．ｊｐ／ｍａｇａｚｉｎｅ／ｐｅｇ−ｔａｎｚｏ／＞
【考案の概要】
【考案が解決しようとする課題】
【０００６】
しかしながら、従来の各ペグは、このようにペグ本体が断面円形の丸棒であったため、テントの設営時、ペグ本体の頭部に引っ掛けたロープは、この頭部の外周面を滑り易かった。これにより、このフック部をペグ本体の外周面のうち、ロープとは反対側に位置決めしにくかった。すなわち、断面が円形のペグ本体の場合、ペグ本体の外周面に、地面に対する引っ掛かりがないため、上述したロープにかかるテンションの一部の作用によって、ペグ本体の打設中または打設後、ペグ本体がその軸線を中心として周方向へ回転し易かった。
【０００７】
そこで、考案者は鋭意研究の結果、ペグ本体を断面が矩形状のものとすれば、ペグ本体に引っ掛けたロープが滑りにくくなるため、テントの設営時、地面に打設したペグ本体のフック部をロープとは反対側に配置し易くなり、ペグを利用したロープの地面固定の作業性が高まることを知見し、この考案を完成させた。
【０００８】
この考案は、上述する従来技術の問題点に鑑みなされたもので、索具および杭を利用して、被固定物を地面に固定するときの作業性を高めることができる杭を提供することを目的としている。
【課題を解決するための手段】
【０００９】
請求項１に記載の考案は、先部が尖った断面四角形の金属製の杭本体と、該杭本体の頭部の一側面から突出した金属製のフック部とを備え、上記フック部を介して、被固定物から延出された索具を、上記杭本体の頭部に引っ掛けて地面に固定するための杭である。
【００１０】
杭の用途は任意である。例えば、テント用、タープ（日よけ）用、ビニールハウス用、パイプ倉庫用、パイプ車庫用などを採用することができる。
杭の素材は金属であれば限定されない。例えば、鉄、鋼（ステンレス）、アルミニウム合金、チタンなどを採用することができる。
【００１１】
杭は、鍛造品または鋳造品でもよいものの、例えば、厚肉な金属板（例えば鉄板や鋼など）をレーザ加工して作製してもよい。レーザ加工であれば、断面四角形を有した杭本体の頭部に、様々な形状のフック部が一体形成された杭を短時間で製造可能である。
杭本体（胴部、軸部）の形状は、杭の長さ方向に直交する断面が、四角形（例えば、正方形、長方形、菱形、台形など）であれば任意である。
杭本体のサイズは、用途などに応じて適宜選択される。例えば、杭本体の長さは２０ｃｍ〜５０ｃｍでもよい。また、杭本体の各側面の幅は１ｃｍ〜３ｃｍでもよい。
【００１２】
フック部は、杭と同一素材で一体形成してもよい。その他、あらかじめ各々を異なる素材で別製造し、その後、これらを溶接や嵌合などにより連結してもよい。
フック部の形状は任意である。例えば、逆Ｌ字状、逆Ｊ字状でもよい。
【００１３】
被固定物は、この被固定物から延びた索具を、フック部を介して杭本体の頭部に引っ掛けて地面に固定可能なものであれば限定されない。例えば、テント、タープ（日よけ）、ビニールハウス、パイプ倉庫、パイプ車庫などを採用することができる。
索具の種類は任意である。例えば、ロープ、ワイヤ、ベルト、紐、チェーンなどを採用することができる。
【００１４】
請求項２に記載の考案は、上記フック部は、動物、人形、乗物、玩具、菓子、果物、植物および漫画などでの登場人物を含むキャラクタの形態を呈したものである請求項１に記載の杭である。
キャラクタは、例えば、動物、人形、乗物、菓子、果物、植物、漫画などでの登場人物等のうち、何れでもよい。干支の動物の形態を採用してもよい。このとき、例えばねずみを北、うさぎは東、うまは南、とりは西としてこれらキャラクタをテントの方角に合わせて使用・配置してもよい。
【００１５】
請求項３に記載の考案は、上記フック部を含む上記杭本体の頭部には、その露出面に、発光材が設けられた請求項１または請求項２に記載の杭である。
発光材の種類は限定されない。例えば、各蓄光物質を含んだ蓄光塗料、蓄光テープ、蓄光シート、蓄光キャップなどを採用することができる。
発光材の取り付け箇所はフック部の露出面、または、杭本体の頭部の露出面でもよい。その他、これらの両方でもよい。
【考案の効果】
【００１６】
この考案によれば、杭本体を断面が矩形状のものとしたことで、被固定物の地面への固定時、杭本体に引っ掛けた索具が滑りにくくなる。そのため、被固定物から延びた索具が頭部に引っ掛けられた杭本体を地面にハンマなどで打設するとき、フック部を杭本体の外周面の索具とは反対側に配し易くなる。その結果、索具および杭を利用して、被固定物を地面に固定するときの作業性を高めることができる。
【００１７】
特に、請求項２に記載の考案によれば、フック部として、動物、人形、乗物、玩具、菓子、果物、植物および漫画の登場人物を含むキャラクタの形態を呈したものを採用したため、人目、特に子供の興味を惹くことができる。
また、このフック部のキャラクタから被固定物を容易に見分けられるため、被固定物の識別性を高めることができる。
【００１８】
さらに、請求項３に記載の考案によれば、フック部を含む杭本体の頭部の露出面に発光材を設けたため、例えば夜間などにおいて、被固定物の固定位置を発見し易い。
【図面の簡単な説明】
【００１９】
【図１】（ａ）この考案の実施例１に係る杭を示す正面図である。（ｂ）この考案の実施例１に係る杭の拡大断面図である。
【図２】この考案の実施例１に係る杭の使用状態を示す要部正面図である。
【図３】この考案の実施例２に係る杭を示す正面図である。
【考案を実施するための形態】
【００２０】
以下、この考案の実施例を具体的に説明する。ここでは、テント設営用のペグを例にとる。
【実施例】
【００２１】
図１および図２に示すように、この考案の実施例１に係るペグ（杭）１０は、テントＴの設営用のもので、先部１１ａが尖った断面矩形状のペグ本体（杭本体）１１と、ペグ本体１１の頭部１１ｂの一側面から突出したフック部１２とを備えている。
フック部１２は、犬（動物）のキャラクタの形態を呈している。
【００２２】
また、このペグ１０は、厚さ６ｍｍの厚肉なステンレス板を、図示しないレーザ加工装置により所定形状にレーザ加工（レーザによる溶断）して、製造されたものである。
ペグ本体１１は、長さ２０ｃｍ、幅１ｃｍ、厚さ６ｍｍのステンレス棒である。
ペグ本体１１は、先部１１ａが徐々に先細りしており、また頭部１１ｂの端面は矩形状の平坦面となっている。
フック部１２は、犬のキャラクタの前足１２ａの先端が、この頭部１１ｂの一側面に一体的に連結されている。
【００２３】
次に、図１および図２を参照して、この考案の実施例１に係るペグ１０によるテントＴの設営方法を説明する。
図２に示すように、テントＴに基端が連結されたロープ（索具）１３に対して略直角で、かつ地面に対してペグ本体１１の傾斜角度が約６０°となるように、ペグ本体１１をテントＴの周囲の地面に、図示しないハンマにより打ち込む。こうしてテントＴが設営される。
このとき、フック部１２は、ペグ本体１１の外周面のロープ１３とは反対側に配されるとともに、ロープ１３の先端部は、フック部１２により上抜けが阻止された状態でペグ本体１１の頭部１１ｂに引っ掛けられる。
【００２４】
ここで、このフック部１２を、ペグ本体１１のロープ１３とは反対側に配する理由を説明する。すなわち、仮にフック部１２を、これとは異なる側に配した場合には、ロープ１３にかかるテンションの一部が、ペグ本体１１の外周面から離間したフック部１２に作用することとなる。その結果、地面に打設されたペグ本体１１は、ここで発生したモーメントにより、その軸線を中心にして周方向へ回転し、地面から抜き取り易くなる。よって、この現象を防ぐため、フック部１２はペグ本体１１のロープ１３とは反対側に配する必要がある。
【００２５】
しかしながら、上述した従来のペグの場合には、ペグ本体が断面円形の丸棒であったため、テントの設営時、ペグ本体の頭部に引っ掛けたロープは、この頭部の外周面を滑り易かった。これにより、このフック部をペグ本体の外周面のうち、ロープとは反対側に位置決めしにくかった。すなわち、断面が円形のペグ本体の場合、ペグ本体の外周面に、地面に対する引っ掛かりがないため、上述したロープにかかるテンションの一部の作用によって、ペグ本体の打設中または打設後、ペグ本体がその軸線を中心として周方向へ回転し易かった。
【００２６】
そこで、実施例１のペグ本体１１では、断面が矩形状のステンレス製の角棒を採用することとした。これにより、テントＴの設営時、ペグ本体１１に引っ掛けたロープ１３が滑りにくくなるとともに、ペグ本体１１の外周面に、打ち込まれた地面に対する引っ掛かりとなる、各頂部１１ｃを含む４つの側面部がそれぞれ存在する（図１（ｂ））。そのため、テントＴから延びたロープ１３が頭部１１ｂに引っ掛けたペグ本体１１を地面に打設するとき（打設後も含む）、従来の丸棒状のペグ本体と比較して、軸線を中心としてペグ本体１１が回転しにくくなるとともに、フック部１２を、ペグ本体１１の外周面のロープ１３とは反対側に配し易くなる。その結果、ロープ１３およびペグ１０を利用して、テントＴを地面に固定する際の作業性を高めることができる。
【００２７】
また、フック部１２として、犬のキャラクタの形態を呈したものを採用したため、人目、特に子供の興味を惹くことができる。さらに、フック部１２のキャラクタを目安にして、例えば、キャンプ場に設営された複数のテントＴの中から、自分のテントＴを容易に発見することが可能で、テントＴの識別性も高めることができる。
【００２８】
次に、図３を参照して、この考案の実施例３に係るペグ（杭）について説明する。
実施例３のペグ１０Ａは、フック部１２Ａとして、人形のキャラクタを呈したものを採用するとともに、この人形の外側の手１２ｂの露出面全体に、蓄光物質を含む蓄光塗料（発光材）１４を塗布したものである。
このように、フック部１２Ａである人形の手１２ｂに蓄光塗料１４を塗布したため、例えば夜間において、キャンプ場で自分のテントＴの設営位置を発見し易い。
なお、人形型のフック部１２Ａは、各内側（ペグ本体１１側）の手１２ｃと足１２ｄとを介して、ペグ本体１１の頭部１１ｂの一側面に連結されている。
その他の構成、作用および効果は、実施例１と略同じであるため、説明を省略する。
【産業上の利用可能性】
【００２９】
この考案の杭は、頭部をハンマなどで叩いて打設する金属製の杭の技術として有用である。
【符号の説明】
【００３０】
１０，１０Ａ  ペグ（杭）、
１１  ペグ本体（杭本体）、
１１ａ  先部、
１１ｂ  頭部、
１２，１２Ａ  フック部、
１３  ロープ（索具）、
１４  蓄光塗料（発光材）、
Ｔ  テント（被固定物）。
【図１】
0003230509.tif 000003
【図２】
0003230509.tif 000004
【図３】
0003230509.tif 000005